【事件の表示】
　平成　７年特許願第３２２１１２号「液晶表示装置」拒絶査定不服審判事件〔平成　８年　９月１３日出願公開、特開平　８−２３４２２０〕について、次のとおり審決する。
【結　論】
　本件審判の請求は、成り立たない。
【理　由】
　
１．手続の経緯  
　 
　本願は、平成７年１２月１２日（優先権主張平成６年１２月１９日）の出願であって、平成１６年５月１０日付けで拒絶理由が通知され、同年７月１３日に手続補正がなされ、その後同年１１月１１日付けで拒絶査定がなされ、これに対し、同年１２月１６日に拒絶査定不服審判が請求されるとともに、平成１７年１月１４日に手続補正がなされたものである。
　 
２．平成１７年１月１４日付けの手続補正についての補正却下の決定 
　 
［補正却下の決定の結論］ 
　 
　平成１７年１月１４日付けの手続補正を却下する。 
　 
　［理由］ 
　 
（１）補正の内容 
　 
　本件補正により、特許請求の範囲は、平成１６年７月１３日付け手続補正後の明細書における特許請求の範囲の 
　 
「【特許請求の範囲】
　　【請求項１】
　画素電極と、
　前記画素電極が配置された表示領域とシール領域とを含む第１電極基板と、
　対向電極を有し、所定のギャップをもって前記第１電極基板と対向配置され、前記シール領域で前記第１電極基板と貼り合せられた第２電極基板と、
　前記シール領域の外方に配置された給電パッドと、
　前記給電パッドから前記対向電極に電圧を供給するとともに、複数本の細線によって構成され、前記シール領域に沿って前記表示領域に延在した配線と、
　前記第１電極基板と前記第２電極基板の間に保持された光変調層と、
　を備えたことを特徴とする液晶表示装置。
　　【請求項２】
　前記シール領域に沿って配置された前記配線を構成する一部の細線は前記シール領域内に配置され、前記シール領域に沿って配置された他の細線は前記シール領域と前記表示領域との間の境界領域に配置されたことを特徴とする請求項１に記載の液晶表示装置。
　　【請求項３】
　前記対向電極は、前記第１電極基板と前記第２電極基板との間に配置された接続部材を介して前記配線と接続されたことを特徴とする請求項１に記載の液晶表示装置。
　　【請求項４】
　前記接続部材は前記シール領域の外方の前記第１電極基板と前記第２電極基板との間に配置され、前記配線は前記シール領域を介して前記接続部材に接続されるように分岐した延在配線を含むことを特徴とする請求項３に記載の液晶表示装置。
　　【請求項５】
　前記延在配線は、複数本の細線によって構成されたことを特徴とする請求項４に記載の液晶表示装置。
　　【請求項６】
　前記第１電極基板は、信号線と、走査線と、前記信号線及び前記走査線に接続されたスイッチ素子と、前記スイッチ素子に接続された画素電極とを含み、
　前記配線は、前記信号線もしくは前記走査線と同一工程で形成されることを特徴とする請求項１に記載の液晶表示装置。
　　【請求項７】
　さらに、少なくとも１つの付加給電パッドを備えたことを特徴とする請求項１に記載の液晶表示装置。
　　【請求項８】
　前記給電パッド及び前記付加給電パッドのそれぞれは、前記液晶表示装置の相対する２辺に配置されたことを特徴とする請求項７に記載の液晶表示装置。
　　【請求項９】
　画素電極と、
　前記画素電極が配置された表示領域と、前記表示領域の周囲に配置されたシール領域とを含む第１電極基板と、
　対向電極を有し、所定のギャップをもって前記第１電極基板と対向配置され、前記シール領域で前記第１電極基板と貼り合せられた第２電極基板と、
　前記シール領域の外方に配置された給電パッドと、
　前記給電パッドから前記対向電極に電圧を供給するとともに、複数本の細線によって構成され、前記シール領域に沿って前記表示領域に延在した配線と、
　前記第１電極基板と前記第２電極基板の間に保持された光変調層と、
　を備えたことを特徴とする液晶表示装置。
　　【請求項１０】
　前記対向電極は、前記第１電極基板と前記第２電極基板との間に配置された接続部材を介して前記配線と接続されたことを特徴とする請求項９に記載の液晶表示装置。
　　【請求項１１】
　前記第１電極基板は、信号線と、走査線と、前記信号線及び前記走査線に接続されたスイッチ素子と、前記スイッチ素子に接続された画素電極と、誘電体層を介して前記画素電極と対向するように配置された補助容量線と、前記補助容量線に電気的に接続された前記配線と、を備えたことを特徴とする請求項９に記載の液晶表示装置。
　　【請求項１２】
　さらに、少なくとも１つの付加給電パッドを備えたことを特徴とする請求項９に記載の液晶表示装置。
　　【請求項１３】
　前記給電パッド及び前記付加給電パッドのそれぞれは、前記液晶表示装置の相対する２辺に配置されたことを特徴とする請求項１２に記載の液晶表示装置。
　　【請求項１４】
　表示領域と、表示領域の周囲に配置されたシール領域と、シール領域の周囲に配置された周辺領域とを含み、しかも、前記表示領域は画素電極を含み、さらに、前記シール領域は前記シール領域に沿って前記表示領域に延在した配線を含む第１電極基板と、
　前記配線を介して電圧が供給される対向電極を含み、所定のギャップをもって前記第１電極基板と対向配置され、前記シール領域で前記第１電極基板と貼り合せられた第２電極基板と、
　前記第１電極基板と前記第２電極基板との間に保持された光変調層と、
　を備えたことを特徴とする液晶表示装置。
　　【請求項１５】
　前記配線は、複数本の細線によって構成されたことを特徴とする請求項１４に記載の液晶表示装置。
　　【請求項１６】
　前記シール領域に沿って配置された前記配線を構成する一部の細線は前記シール領域内に配置され、前記シール領域に沿って配置された他の細線は前記シール領域と前記表示領域との間の境界領域に配置されたことを特徴とする請求項１５に記載の液晶表示装置。
　　【請求項１７】
　前記対向電極は、前記第１電極基板と前記第２電極基板との間に配置された複数の接続部材を介して前記配線に接続されたことを特徴とする請求項１５に記載の液晶表示装置。
　　【請求項１８】
　前記第１電極基板は、信号線と、走査線と、前記信号線及び前記走査線に接続されたスイッチ素子と、前記スイッチ素子を介して前記信号線に接続された画素電極と、を備えたことを特徴とする請求項１７に記載の液晶表示装置。
　　【請求項１９】
　前記信号線は前記第１電極基板の第１端辺にのみ引き出され、前記走査線は前記第１電極基板の第１端辺に隣接する第２端辺にのみ引き出されたことを特徴とする請求項１８に記載の液晶表示装置。
　　【請求項２０】
　前記接続部材の一部は前記第１電極基板の前記第１端辺に配置され、他の前記接続部材は前記第１電極基板の前記第１端辺に対向する第３端辺に配置されたことを特徴とする請求項１９に記載の液晶表示装置。
　　【請求項２１】
　前記接続部材の一部は前記周辺領域における前記第１電極基板の前記第１端辺に配置され、他の前記接続部材は前記周辺領域における前記第１電極基板の前記第３端辺に配置され、前記配線は前記シール領域を介して前記第１端辺に配置された前記接続部材もしくは前記第３端辺に配置された前記接続部材に接続されるように分岐した延在配線を有することを特徴とする請求項２０に記載の液晶表示装置。
　　【請求項２２】
　前記延在配線は、複数本の細線によって構成されたことを特徴とする請求項２１に記載の液晶表示装置。
　　【請求項２３】
　前記接続部材の一部は前記第１電極基板の前記第１端辺に配置され、他の前記接続部材は前記第１端辺に隣接する前記第２端辺に配置されたことを特徴とする請求項１９に記載の液晶表示装置。
　　【請求項２４】
　前記接続部材の一部は前記周辺領域における前記第１電極基板の前記第１端辺に配置され、他の前記接続部材は前記周辺領域における前記第１電極基板の前記第２端辺に配置され、前記配線は前記シール領域を介して前記第１端辺に配置された前記接続部材もしくは前記第２端辺に配置された前記接続部材に接続されるように分岐した延在配線を有することを特徴とする請求項２３に記載の液晶表示装置。
　　【請求項２５】
　前記延在配線は、複数本の細線によって構成されたことを特徴とする請求項２４に記載の液晶表示装置。
　　【請求項２６】
　前記接続部材の一部は前記第１電極基板の前記第２端辺に配置され、他の前記接続部材は前記第１電極基板の前記第２端辺に対向する第４端辺に配置されたことを特徴とする請求項１９に記載の液晶表示装置。
　　【請求項２７】
　前記接続部材の一部は前記周辺領域における前記第１電極基板の前記第２端辺に配置され、他の前記接続部材は前記周辺領域における前記第１電極基板の前記第４端辺に配置され、前記配線は前記シール領域を介して前記第２端辺に配置された前記接続部材もしくは前記第４端辺に配置された前記接続部材に接続されるように分岐した延在配線を有することを特徴とする請求項２６に記載の液晶表示装置。
　　【請求項２８】
　前記延在配線は、複数本の細線によって構成されたことを特徴とする請求項２７に記載の液晶表示装置。
　　【請求項２９】
　前記シール領域に配置された前記配線の前記細線は、少なくとも３本であることを特徴とする請求項１５に記載の液晶表示装置。
　　【請求項３０】
　画素電極が配置された表示領域と、前記シール領域に沿って前記表示領域に延在するとともに前記シール領域の長手方向に沿って形成された複数の開口部を有する配線を含むシール領域と、を含む第１電極基板と、
　前記配線を介して電圧が供給される対向電極を有し、所定のギャップをもって前記第１電極基板と対向配置され、前記シール領域で前記第１電極基板と貼り合せられた第２電極基板と、
　前記第１電極基板と前記第２電極基板との間に保持された光変調層と、
　を備えたことを特徴とする液晶表示装置。」から 
　 
「【特許請求の範囲】
　　【請求項１】
　画素電極と、
　前記画素電極が配置された表示領域とシール領域とを含む第１電極基板と、
　対向電極を有し、所定のギャップをもって前記第１電極基板と対向配置され、前記シール領域で前記第１電極基板と貼り合せられた第２電極基板と、
　前記第１電極基板と前記第２電極基板の間に保持された光変調層と、
　前記シール領域の外方に配置された給電パッドと、
　前記給電パッドから前記対向電極に電圧を供給するための配線と、を備え、
　前記配線は、前記シール領域内を前記シール領域に沿って配置された複数本の細線を具備することを特徴とする液晶表示装置。
　　【請求項２】
　前記シール領域に沿って配置された前記配線を構成する一部の細線は前記シール領域内に配置され、前記シール領域に沿って配置された他の細線は前記シール領域と前記表示領域との間の境界領域に配置されたことを特徴とする請求項１に記載の液晶表示装置。
　　【請求項３】
　前記対向電極は、前記第１電極基板と前記第２電極基板との間に配置された接続部材を介して前記配線と接続されたことを特徴とする請求項１に記載の液晶表示装置。
　　【請求項４】
　前記接続部材は前記シール領域の外方の前記第１電極基板と前記第２電極基板との間に配置され、前記配線は前記シール領域を介して前記接続部材に接続されるように分岐した延在配線を含むことを特徴とする請求項３に記載の液晶表示装置。
　　【請求項５】
　前記延在配線は、複数本の細線によって構成されたことを特徴とする請求項４に記載の液晶表示装置。
　　【請求項６】
　前記第１電極基板は、信号線と、走査線と、前記信号線及び前記走査線に接続されたスイッチ素子と、前記スイッチ素子に接続された画素電極とを含み、
　前記配線は、前記信号線もしくは前記走査線と同一工程で形成されることを特徴とする請求項１に記載の液晶表示装置。
　　【請求項７】
　さらに、少なくとも１つの付加給電パッドを備えたことを特徴とする請求項１に記載の液晶表示装置。
　　【請求項８】
　前記給電パッド及び前記付加給電パッドのそれぞれは、前記液晶表示装置の相対する２辺に配置されたことを特徴とする請求項７に記載の液晶表示装置。」へと補正された。
　 
（２）当審の判断 
　 
　本件補正が、平成１８年改正前特許法１７条の２第４項１号乃至４号に規定された事項を目的とするものであるかについて検討する。 
　 
　本件補正前の請求項１ないし請求項３０は、いずれも、「配線」に関し「前記表示領域に延在」するとの発明特定事項を有していたが、本件補正後の請求項１ないし８は、いずれも、「配線」に関し「前記表示領域に延在」するとの発明特定事項を有していない。
　してみれば、本件補正は、「配線」に関し「前記表示領域に延在」するとの発明特定事項を削除する補正事項を有しており、この補正事項は、平成１８年改正前特許法１７条の２第４項２号に規定する特許請求の範囲の減縮に該当しない。
　
　また、「配線」に関し「前記表示領域に延在」するとの発明特定事項を削除する補正事項は、平成１８年改正前特許法１７条の２第４項１号、３号、４号に規定する請求項の削除、誤記の訂正、明りょうでない記載の釈明のいずれにも該当しない。 
　 
　したがって、上記補正事項を含む本件補正は、平成１８年改正前特許法１７条の２第４項１号乃至４号に規定されたいずれの事項をも目的とするものではない。　 
　 
（３）むすび 
　 
　以上のとおりであるから、本件手続補正は、平成１８年改正前特許法１７条の２第４項の規定に適合しないので、同法１５９条１項で読み替えて準用する同法５３条１項の規定により却下すべきものである。
　  
３．本願発明について 
　
　平成１７年１月１４日付け手続補正は上記のとおり却下されたので、本願の請求項に係る発明は、平成１６年７月１３日付け手続補正書によって補正された明細書及び図面の記載からみて、その特許請求の範囲の請求項１〜３０に記載された事項によって特定されるとおりのものであるところ（上記２．（２）参照。）、その請求項１４に係る発明は次のとおりのものである。
「表示領域と、表示領域の周囲に配置されたシール領域と、シール領域の周囲に配置された周辺領域とを含み、しかも、前記表示領域は画素電極を含み、さらに、前記シール領域は前記シール領域に沿って前記表示領域に延在した配線を含む第１電極基板と、
　前記配線を介して電圧が供給される対向電極を含み、所定のギャップをもって前記第１電極基板と対向配置され、前記シール領域で前記第１電極基板と貼り合せられた第２電極基板と、
　前記第１電極基板と前記第２電極基板との間に保持された光変調層と、
　を備えたことを特徴とする液晶表示装置。」（以下、「本願発明」という。）
　
４．引用刊行物記載の発明
　
　原査定の拒絶の理由で引用された本願の優先日前に日本国内で頒布された刊行物である特開平６−３０１０４５号公報(以下、「引用例」という。)には、次の事項が、図面とともに記載されている。
　
「【請求項１】複数の走査線および複数の信号線が形成された第１透明基板、および対向透明電極が形成された第２透明基板との間に封入液晶を有し、上記第１および第２透明基板を電気的に接続する複数のトランスファを有する液晶表示装置において、
上記液晶表示装置の第１の辺に形成されたトランスファ引き出し電極から上記第１の辺以外の第２の辺に沿って導電体を延長し、該延長導電体と上記第２の辺に設けたトランスファとを接続し、上記延長導電体および上記第２の辺に設けたトランスファを介して上記第２の辺側から対向透明電極に対する対向電極電位の印加を可能としたことを特徴とする液晶表示装置。」、
　
「【請求項３】上記第２の辺に設けたトランスファは液晶シールの外側に位置し、上記延長導電体は上記液晶シールの内側に位置し、上記液晶シールを横切るように上記延長導電体から枝状に延設された枝状導電体によって上記延長導電体と上記第２の辺に設けたトランスファとが接続されていることを特徴とする請求項１、または請求項２記載の液晶表示装置。」、
　
「【０００２】本発明は液晶表示装置に関し、詳しくは液晶表示装置を構成する対向透明基板の対向電極電位の供給手段であるトランスファ（電気的接続点）の構成に関する。」、
　
「【０００４】近年、大型の液晶表示装置においては各画素に非線形素子を備えたアクティブ・マトリックス型液晶表示装置が主流になっている。このアクティブ・マトリックス型液晶表示装置（ＡＭ−ＬＣＤ）に使用される信号線駆動用ＬＳＩは、駆動の高速化やＬＳＩチップの低価格化を目的として、その出力電圧が５Ｖ系のものへ移行しつつある。この５Ｖ系ＬＳＩを使用するにあたり、アクティブ・マトリックス型液晶表示装置（ＡＭ−ＬＣＤ）の駆動方式も対向電極電位（Ｖｃｏｍ）を、ある基準電位に基本的に固定させておく方式から、信号出力信号のタイミングにあわせて変調させる方式へ移行している。
【０００５】対向電極電位（Ｖｃｏｍ）を変調させる方式の場合、対向透明電極に対する変調信号は遅延を極力抑えて伝搬することが必要となる。ＩＴＯ等の透明導電膜で形成される対向透明電極の電気的比抵抗をその形成プロセスで下げることは難しく、そのため、従来ＬＣＤ基板の４隅にしか設けられていなかったアクティブ・マトリックス基板と対向電極基板とを電気的に接続するトランスファの数を増加させ、実効的な遅延時間を抑えた多点トランスファ構造を採用したアクティブ・マトリックス型液晶表示装置（ＡＭ−ＬＣＤ）が増えてきている。特に大型の高精細液晶表示装置においては、この多点トランスファ構造が有効となる。
【０００６】図１は従来の多点トランスファ構造を採用したアクティブ・マトリックス型液晶表示装置（ＡＭ−ＬＣＤ）の平面図である。多くの場合、縦ストライプのＲＧＢ配列を採るために、信号線１７は１本おきに上下方向に引き出して信号線引き出し電極１８を介して信号線駆動ＬＳＩを搭載したＴＡＢ（図示せず）と接続されている。また、走査線１５は信号線１７に比較して配線ピッチが大きいので一方の側（図１では左端）へのみ引き出して走査線引き出し電極１６を介して走査線駆動ＬＳＩを搭載したＴＡＢ（図示せず）に接続されている。このとき、他方の側（右側）には、液晶注入口１４となるシール２４の開口部が設けられ、この一辺ではアクティブ・マトリックス基板１１と対向電極基板１２とがその端面位置を合わせてスクライブされている。
【０００７】液晶注入口１４の側において２枚の透明基板の端面位置を合わせた構造は、パネルとしての小型化、および余分な材料が排除可能となる点で大きな利点である。さらに、液晶セル組立て工程におけるガラス・スクライブ処理での高歩留り化、液晶注入工程における使用液晶量の削減によるコスト低減、液晶注入後の紫外線硬化樹脂を用いる液晶注入口の封止工程の作業性、歩留り向上がはかれる等、利点の多い構造である。この構造において、多点トランスファは走査線側、信号線側とも出力本数毎に束ねられたＴＡＢの境界毎に配置され、多くの場合ＴＡＢのスルー配線を通じて、周辺回路基板から対向電極電位（Ｖｃｏｍ）が与えられる構造となっている。一方、２枚の透明基板の端面位置を合わせてスクライブされた液晶注入口側は上記のような多くの利点を生かすために、液晶シールから外側に伸びた透明基板の部分をできるだけ少なくすることが要請され、このスペース上の制限から液晶注入口側にはトランスファは設けられていなかった。従って、液晶注入口側からの対向電極電位印加が不可能となり、その結果、対向電極電位を表示面全体において均一に保つことが困難となり、表示品位が損なわれるという問題を生じていた。特に大型の表示面積を持つ液晶表示装置において、この表示品位の低下は顕著である。」、
　
「【００１０】さらに、本発明は大型の表示画面を有するアクティブ・マトリックス型液晶表示装置において表示品位の高い高精細の画像を提供するに最適な構造を提供することを目的とする。」、
　
「【００１４】図２に本発明を採用したアクティブ・マトリックス型液晶表示装置の平面図を示す。液晶はアクティブ・マトリックス基板１１と対向電極基板１２との間に封入される。縦ストライプの配列を採る信号線１７は１本おきに上下方向に引き出され、信号線用引き出し電極１８を介して信号線駆動ＬＳＩを搭載したＴＡＢ（図示せず）に接続されている。また走査線１５は信号線１７に比較して配線ピッチが広いので一方の側面へのみ引き出し、走査線引き出し電極１６を介して走査線駆動ＬＳＩを搭載したＴＡＢ（図示せず）に接続されている。走査線引き出し電極１６を有する辺に対向する側には液晶注入口１４が設けられている。液晶はシール２４によって囲まれた範囲に封入される。
【００１５】対向電極電位（Ｖｃｏｍ）を変調させるためにＩＴＯ等の透明導電膜で形成された対向透明電極２４を有する対向電極基板１２に対する変調信号の伝搬は遅延を極力抑える必要があり、そのためにアクティブ・マトリックス基板１１と対向電極基板１２とを電気的に接続するトランスファ１９を数多く設置することが求められる。
【００１６】本発明は、２枚の透明基板の液晶注入口側端面位置を合わせた構造を有し、従来、このような構造ではスペース上の制約からトランスファが設けられていなかった液晶注入口側にもトランスファを設けたものである。図２から分かるように右側の液晶注入口１４側に複数のトランスファ１９が設置されている。
【００１７】液晶注入口１４側の辺で、シール２４に対して液晶の存在しない側に設けられた複数のトランスファ１９はシール２４に対して液晶の存在する側へ設けられた延長導電体２１からシール２４を横切って延びるように形成された枝状導電体によって接続されている。延長導電体２１は液晶注入口側の辺のシール２４に平行に延び、液晶注入口１４側の辺に隣接する辺のシール２４と再び交差して液晶注入口１４側の辺に隣接する辺上のトランスファ引き出し電極２０に接続された構成となっている。
【００１８】図２では、延長導電体２１は表示装置上辺と下辺とを結ぶように構成されているが、上辺あるいは下辺の一方のトランスファ引き出し電極にのみ接続した延長導電体によって液晶注入口側のトランスファを接続する構成としてもよい。」、
　
「【００２０】図４に液晶注入口１４側の辺のトランスファ接続構成を示す。トランスファ１９は他の辺と同様、シール２４の外側、すなわち液晶の存在しない側に設けられている。シール２４を挟んで内側の液晶の存在する側には延長導電体２１が形成されている。トランスファ１９と延長導電体２１は延長導電体２１から延びてシール２４と交差する枝状導電体によって接続されている。トランスファ１９の外側は他の辺と異なり、各種の電極は存在せず、従ってトランスファ１９の構成部分より外側の基板は不要となり、外側の余分な基板スペースを排除して２枚の透明基板端面位置を同一面とした構成となっている。
【００２１】図５に液晶注入口側の辺とその隣接辺との頂点付近のトランスファ構成を示す。トランスファ１９は対向電極基板１２の頂部に設けられ、シール２４と交差する枝状導電体を介して延長導電体２１と接続されている。延長導電体は信号線引き出し電極１８側の辺に構成されたトランスファ引き出し電極２０に接続されている。図５から分かるようにアクティブ・マトリックス基板１１は各種電極が形成された信号線引き出し電極１８側の辺では対向電極基板１２より外側にその端部があるが、各種の電極を持たない液晶注入口側（図５の右側）の辺ではアクティブ・マトリックス基板１１と対向電極基板１２の端面はシール２４からほぼ同一距離にある。
【００２２】なお、図５においては、トランスファ１９は対向電極基板１２の頂点に設けられているが、トランスファの位置は液晶表示装置の各電極、スペース等を考慮して適当な位置に定めることができる。
【００２３】図６は図２におけるＡ−Ａ^部断面図、すなわち液晶注入口１４側の辺におけるトランスファ１９の存在しない部分の断面図である。この断面は上部の対向電極基板１２と下部のアクティブ・マトリックス基板１１との間を液晶をシール２４によって密封した構成となっている。下部のアクティブ・マトリックス基板１１は画素２２、ポリイミド等で形成される配向膜２６を有し、上部の対向電極基板１２はカラーフイルタ２３、配向膜２６、ブラック・マトリックス２７を有している。対向電極基板１２にはＩＴＯ等の透明導電膜で形成される対向透明電極２５が形成されている。延長導電体２１はアクティブ・マトリックス基板１１上のシール２４内側に形成されている。
【００２４】図７は図２におけるＢ−Ｂ^部断面図、すなわち液晶注入口１４側の辺においてトランスファ１９が設けられた部分の断面図である。例えば銀ペースト等から成るトランスファ１９はシール２４の外側に上部の対向電極基板１２と下部のアクティブ・マトリックス基板１１とを連結するように構成され、シール２４がその内側に位置している。上部の対向電極基板１２の対向透明電極２５はシール２４の上部からトランスファ１９に接続されている。一方、下部のアクティブ・マトリックス基板１１に形成された延長導電体２１はシール２４の下部からトランスファ１９に接続されている。この構成によって、液晶注入口１４側に外部基板からの接続用電極を形成せずに、延長導電体２１およびトランスファ１９を介して対向透明電極２５に対する対向電極電位の印加を可能とした。
【００２５】
【発明の効果】以上のように本発明によれば、液晶表示装置の電極用スペースを持たない辺においても、隣接する辺から延びる延長導電体を介した対向電極電位の印加を可能とし、表示品位の高い高精細、大型のアクティブ・マトリックス型液晶表示装置が実現される。」
　
　上記記載からみて、引用例には「複数の走査線、複数の信号線、複数の画素２２及び複数の非線形素子とを備えたアクティブ・マトリックス基板１１と、対向透明電極２５が形成された対向電極基板１２と、上記アクティブ・マトリックス基板と上記対向電極基板との間にシール２４によって囲まれた範囲に封入された液晶と、上記アクティブ・マトリックス基板と上記対向電極基板とを電気的に接続する複数のトランスファ１９とを有する液晶表示装置において、上記液晶表示装置の第１の辺に形成されたトランスファ引き出し電極２０から上記第１の辺以外の第２の辺に沿って導電体を延長した延長導電体２１を上記シール２４の内側に位置するように設け、該延長導電体２１と上記第２の辺の上記シール２４の外側に位置するように設けたトランスファ１９とを、上記シール２４を横切るように上記延長導電体から枝状に延設された枝状導電体によって接続し、上記延長導電体２１および上記第２の辺に設けたトランスファ１９を介して上記第２の辺側から対向透明電極に対する対向電極電位の印加を可能とした液晶表示装置」の発明が記載されているものと認められる（以下「引用発明」という。）。
　
５．対比・判断
　
　（１）引用発明の「アクティブ・マトリックス基板１１」、「対向透明電極２５」、「対向電極基板１２」、「液晶」及び「液晶表示装置」は、それぞれ、本願発明の「第１電極基板」、「対向電極」、「第２電極基板」、「光変調層」及び「液晶表示装置」に相当する。
　
　（２）引用発明のアクティブ・マトリックス基板１１が複数備えている画素の各々に画素電極が備えられていることが当業者に自明であるから、引用発明のアクティブ・マトリックス基板は、複数の画素電極を備えた、「シール２４によって囲まれた範囲」に対応する領域と、「シール２４」に対応する領域と、「シール２４の外側」に対応する領域とを含んでいることが明らかである。そして、引用発明の「シール２４によって囲まれた範囲に対応する領域」、「シール２４に対応する領域」及び「シール２４の外側に対応する領域」は、それぞれ、本願発明の「表示領域」、「表示領域の周囲に配置されたシール領域」、「シール領域の周囲に配置された周辺領域」に相当し、引用発明の「シール２４によって囲まれた範囲に対応する領域」は、複数の画素電極を備えているから、本願発明の「前記表示領域は画素電極を含み」の事項を有している。
　
　（３）引用発明は、延長導電体２１および第２の辺に設けたトランスファ１９を介して上記第２の辺側から対向透明電極に対する対向電極電位の印加を可能としているから、「延長導電体２１」は、本願発明の「前記配線を介して電圧が供給される対向電極」における「前記配線」に相当する。また、引用発明は、液晶表示装置の第１の辺に形成されたトランスファ引き出し電極２０から上記第１の辺以外の第２の辺に沿って導電体を延長した延長導電体２１を上記シール２４の内側に位置するように設けられており、上記第２の辺に沿ってシール２４が設けられているから、「延長導電体２１」は本願発明の「シール領域に沿って前記表示領域に延在した配線」における「配線」に相当する。そして、引用発明は、該延長導電体２１と上記第２の辺の上記シール２４の外側に位置するように設けたトランスファ１９とを、上記シール２４を横切るように上記延長導電体から枝状に延設された枝状導電体によって接続しているから、引用発明のアクティブ・マトリックス基板の「シール２４に対応する領域」は、枝状導電体を枝状に延設した延長導電体を含んでおり、本願発明の「前記シール領域は・・・配線を含む」事項を備えている。
　
　（４）引用発明は、上記アクティブ・マトリックス基板と上記対向電極基板との間にシール２４によって囲まれた範囲に液晶を封入しているから、上記アクティブ・マトリックス基板と上記対向電極基板とは所定のギャップをもって対向配置されている。そして、上記アクティブ・マトリックス基板と上記対向電極基板とは、シール２４によって貼り合わせられていることは当業者に自明であるから、引用発明は、本願発明の「前記シール領域で前記第１電極基板と貼り合せられた第２電極基板」の事項を有する。
　
　（５）引用発明において、上記アクティブ・マトリックス基板と上記対向電極基板との間に封入されていれば、上記アクティブ・マトリックス基板と上記対向電極基板との間に保持されているといえるから、引用発明は、本願発明の「前記第１電極基板と前記第２電極基板との間に保持された光変調層」の事項を備えている。
　
　（６）上記（１）〜（５）の検討結果からみて、本願発明と引用発明とは「表示領域と、表示領域の周囲に配置されたシール領域と、シール領域の周囲に配置された周辺領域とを含み、しかも、前記表示領域は画素電極を含み、さらに、前記シール領域は前記シール領域に沿って前記表示領域に延在した配線を含む第１電極基板と、前記配線を介して電圧が供給される対向電極を含み、所定のギャップをもって前記第１電極基板と対向配置され、前記シール領域で前記第１電極基板と貼り合せられた第２電極基板と、前記第１電極基板と前記第２電極基板との間に保持された光変調層と、を備えた液晶表示装置」の点で一致し、相違する点は無い。
　よって、本願発明は、引用例に記載された発明である。
　
　なお、原査定の拒絶の理由は、特許法２９条１項３号に該当するというものではないが、審判請求人は、審判請求書において、本願発明と上記引用例とを対比し、容易性のみならず、同一性についても検討していることは明らかである。
　
 ６．むすび 
　
 　以上のとおり、本願発明は、引用例に記載された発明であるから、特許法２９条１項３号の規定に該当し特許を受けることができない。 
 　よって、結論のとおり審決する。